(57)【特許請求の範囲】
【請求項１】
タンク３１に収容された粉粒体を繰り出すロータ４１がタンク３１の谷部３１ａで横向の駆動軸３３に設けられ、該谷部３１ａが中央仕切板４３で左右に仕切られ、前記ロータ４１で繰り出された粉粒体を受けて所定の位置に導く筒４４が中央仕切板４３の左右それぞれの下で横並びに設けられた散布装置において、前記ロータ４１には左右それぞれ複数の繰出溝４１ａが設けられ、該左右の繰出溝４１ａに各々係合する左右の突子４２ａがロータ４１の左右外側に設けた左右それぞれの移動子４２から左右内側に突出し、該左右の移動子４２に係合する左右それぞれの案内具４５が左右に移動可能で且つ駆動軸３３に内側のナット４６と外側のナット４７とで固定される構成とした散布装置。
【発明の詳細な説明】
【０００１】
【発明の属する技術分野】
この発明は、種子や肥料などの粉粒体を圃場に複数の条に散布する散布装置に用いるものである。
【０００２】
【従来の技術】
従来の装置は、タンクの下に複数の谷部を横並びに配置し、それぞれの谷部にロータを設け、このロータの回転や揺動で繰り出した粉粒体をそれぞれの下の単１の筒で受けてそれぞれのホースで圃場に導くように出来ている。
【０００３】
【発明が解決しようとする課題】
上記の構成によると、粉粒体が散布される条数と同数の谷部が必要で、散布装置におけるタンクの横巾が広くなる。
【０００４】
【課題を解決するための手段】
上記の課題を解決するため、この発明は、タンク３１に収容された粉粒体を繰り出すロータ４１がタンク３１の谷部３１ａで横向の駆動軸３３に設けられ、該谷部３１ａが中央仕切板４３で左右に仕切られ、前記ロータ４１で繰り出された粉粒体を受けて所定の位置に導く筒４４が中央仕切板４３の左右それぞれの下で横並びに設けられた散布装置において、前記ロータ４１には左右それぞれ複数の繰出溝４１ａが設けられ、該左右の繰出溝４１ａに各々係合する左右の突子４２ａがロータ４１の左右外側に設けた左右それぞれの移動子４２から左右内側に突出し、該左右の移動子４２に係合する左右それぞれの案内具４５が左右に移動可能で且つ駆動軸３３に内側のナット４６と外側のナット４７とで固定される構成とした散布装置とした。
【０００５】
【作用】
上記のように構成した散布装置は、タンク３１に種子や肥料などの粉粒体を入れる。そして、ロータ４１を駆動すると、粉粒体が中央仕切板４３の左右で下に繰り出され、左右の筒４４が繰り出された粉粒体を受けてこれと継ぎ足されたホースなどで所定の位置に導く。左右それぞれの案内具４５を駆動軸３３に対して左右に移動させると、左右それぞれの移動子４２が左右に移動して左右それぞれの繰出溝４１ａの横巾が拡縮して繰り出される粉粒体の量を調節できる。
【０００６】
【効果】
この発明は、上記のように、ロータ４１には左右それぞれ複数の繰出溝４１ａが設けられ、該左右の繰出溝４１ａに各々係合する左右の突子４２ａがロータ４１の左右外側に設けた左右それぞれの移動子４２から左右内側に突出し、該左右の移動子４２に係合する左右それぞれの案内具４５が駆動軸３３にナット４６、４７で左右に移動可能に設けられているので、左右それぞれの案内具４５を駆動軸３３に対して左右に移動させることにより、左右それぞれの繰出溝４１ａの横巾が拡縮して繰り出される粉粒体の量を調節できる。従って、タンク３１の単１の谷部３１ａに１対の筒４４が配置され１つの谷部３１ａ内の粉粒体が２条に散布されるので、散布装置におけるタンク３１の巾が縮小される。すなわち、上記の散布装置を横並びに配置したり、上記の散布装置と従来の散布装置を組み合せて用いて粉粒体を収容するタンクの横巾を狭く構成することが出来る。また、例えば、田植機においてこの散布装置の１種である施肥装置を取付け、移植した複数条の苗のそれぞれの横に肥料を散布するように構成できるが、６条植又は８条植の田植を８条植又は１０条植に移植条数を増加するようなとき、施肥装置は、全体を８条散き又は１０条散きに取り替ることなく、タンクの両横の谷部に上記の構成を用いて達成することができる。すると、タンクの横巾をほとんど拡張することなく目的の条数の施肥装置付の田植機が得られる。さらに、乗用型の構成は、走行車体に対して苗植装置の横巾が著しく広く、倉庫に収納するときに場所を広く取って困る。これを避けるため、苗植装置の両端を折りたたむものが実用化されているが、その田植機の施肥装置にこの構成を用いると、施肥装置のタンクの横巾を折りたたまれた苗植装置の横巾にほぼ一致させることができ、上記の収納が容易となる。
【０００７】
【実施例】
つぎに、この発明の実施例を説明する。
図１〜図３のように、乗用型の走行車体１の後に苗植装置２と施肥装置３が取付けられて施肥装置付の田植機となっている。
走行車体１は、つぎのように構成されている。機体４の前後に主歯車箱５と後輪歯車箱６が取付けられ、それぞれの両横に前輪７と後輪８が設けられている。エンジン９が機体４の中央部に設けられ、その動力が主歯車箱５内の変速器を経由して前輪７と後輪８に伝わり、これらの回転で走行車体１が進行するように出来ている。座席１０がエンジン９の上に設けられ、その前のステアリングハンドル１１を操舵すると前輪７が走行車体１の進行方向を変えるようになっている。ステップ１２で機体４の主歯車箱５の上が被われ、その両横に補助ステップ１３，１３が取付けられている。支柱１４が機体４の後部から上に伸び、後端を作業機枠１５に取付けた上下のリンク１６，１６の先端がこれに回動自在に取付けられている。油圧シリンダ１７の先端が機体４に取付けられ、そのピストンロッド１８が斜後上に突出し、上のリンク１６と一体のアーム１９の端にその突端が接続し、ピストンロッド１８の出没で作業機枠１５が上下に移動するように出来ている。
【０００８】
苗植装置２は、つぎのように構成される。歯車箱２０が前後方向のローリング軸２１で作業機枠１５の下部に揺動自在に取付けられている。前倒れに傾斜して下端が開放された薄い箱型の苗載台２２がその上に設けられ、開放された上記の口を苗受板２３で閉じるようにして左右に往復駆動されるように出来ている。なお、この苗載台２２は、両横と内側に１１個の隔壁２２ａ，２２ａ……が設けられ、１０枚のマット苗がそれぞれの間に横並びに載せられる。この苗載台２２は、両端の２枚分が図１、図３のように折りたたまれる。１対の支持筒２４，２４が歯車箱２０の両横に固定され（図８）、等間隔に配置された５本の植付フレーム２５，２５……が歯車箱２０と支持筒２４，２４から後に伸び、それぞれの植付フレーム２５，２５……後端の両横に旋回ケース２６，２６が取付けられるとともに、旋回ケース２６の両端に１対の植付具２７，２７が取付けられて１０条植に構成されている。すなわち、１対の植付具２７，２７は、旋回ケース２６の回転にともなってほぼ同じ姿勢を保って旋回し、その旋回の下降行程で苗受板２３の苗取口を交互に通ってマット苗から１株分の苗を取り出し、下端で泥面に移植する。上から見てＴ字型をしたフロート２８，２８……がそれぞれの植付フレーム２５，２５……の下に取付けられ、走行車体１の前進で泥面を滑走し、植付具２７，２７……が苗を移植する泥面を予め整地する。なお、中央のフロート２８がセンサフロートとなり、その先端の上下動でピストンロッド１８が出没し、耕盤に深浅があっても苗植装置２が泥面を基準に支持される。また、支持筒２４，２４は、図８のように、内側の支持筒２４ａに対して外側支持筒２４ｂがモータ２９，２９で出没するように構成し、前記のように苗載台２２の両端を折りたたんだとき、外側の植付フレーム２５，２５とフロート２８，２８が内側に移動して横巾を縮少させることができる。
【０００９】
施肥装置３がつぎのように構成されている。図１のように、支柱３０が支柱１４の前で機体４に固定され、その上にタンク３１が固定されている。図４、図５のように、タンク３１は、下部の両端に２個の谷部３１ａ，３１ａとその内側に６個の谷部３１ｂ，３１ｂ……を有し、上が蓋３２で被われ、中に粒状の肥料が収容される。単１の駆動軸３３がそれぞれの谷部３１ａ，３１ａ，３１ｂ，３１ｂ……を通して横向に設けられている。回転軸３４が走行車体１に前後方向に設けられ、これに固定されたアーム３５とラチェットホイル３６のアーム３６ａがロッド３７で連結されて、アーム３５が回転するとロッド３７が上下し、ラチェットホイル３６が軸３７に間欠回転を与えるように出来ている。歯輪３８，３９がそれぞれ軸３７と駆動軸３３に固定され、これらにチエン４０が巻き掛けられて、軸３７の回転が駆動軸３３に伝わっている。
【００１０】
谷部３１ａは、つぎのように構成される。図６のように、左右の筒面にそれぞれ複数の繰出溝４１ａ，４１ａ……を有するロータ４１が谷部３１ａの中央で駆動軸３３に固定されている。繰出溝４１ａ，４１ａ……に係合している突子４２ａ，４２ａ……がそれぞれの移動子４２，４２から内向に突出し、これが軸方向に移動すると、繰出溝４１ａ，４１ａ……の横巾が拡縮してその回転で繰り出される肥料の量が調節できるようになっている。中央仕切板４３で谷部３１ａが左右に分けられ、それぞれの下に１対の筒４４，４４が横並びに設けられて、左右の繰出溝４１ａ，４１ａ……で繰り出された肥料がそれぞれの筒４４，４４に分かれて入る。椀型をした１対の案内具４５，４５が谷部３１ａの左右の側壁に摺動自在に取付けられ、駆動軸３３にその外側において内外のナット４６，４６，４７，４７で止められている。窓４５ａ，４５ａが案内具４５，４５に設けられ、内側のナット４６，４６を緩めて外側のナット４７，４７を締め込むと、案内具４５，４５が内側に移動し、これとは逆に、ナット４７，４７を緩めてナット４６，４６を締めると、案内具４５，４５が外に移動する。移動子４２，４２のそれぞれのつば４２ｂ，４２ｂが案内具４５，４５の内面に係合し、上記の移動で移動子４２，４２が左右に移動する。
【００１１】
谷部３１ｂは、つぎのように構成される。図７のように、筒面に繰出溝４８ａ，４８ａ……を有するロータ４８が駆動軸３３に固定されている。繰出溝４８ａ，４８ａ……に係合している突子４２ａ，４２ａ……が移動子４２から突出し、これが軸方向に移動すると、繰出溝４８ａ，４８ａ……の横巾が拡縮してその回転で繰り出される肥料の量が調節できるようになっている。その下に単１の筒４４が設けられ、繰出溝４８ａ，４８ａ……で繰り出された肥料を受けている。椀型をした案内具４５が谷部３１ｂの側壁に摺動自在に取付けられ、駆動軸３３にその外側において内外のナット４６，４７で止められ、前記と同様に左右に移動するように出来ている。
【００１２】
それぞれのフロート２８，２８……の両横に作溝器４９，４９……が設けられ、これと筒４４，４４……が可撓性のホース５０，５０……で連続されている。筒型のエアチャンバ５１が谷部３１ａ，３１ａ，３１ｂ，３１ｂ……の前に横長に配置され、端のブロア５２（図１）で加圧された空気が吹き込まれ、それぞれの筒４４，４４……の先端から吹き出されるようになっている。すなわち、ロータ４１，４１，４８，４８……で繰り出された肥料は、それぞれの筒４４，４４……内に落下すると、エアチャンバ５１から吹き出された空気（風）でそれぞれのホース５０，５０を通して作溝器４９，４９……に導かれ、移植される苗の横で圃場に散布される。
【００１３】
なお、タンク３１や蓋３２は、複数に分割して構成することができる。
苗載台２２における苗送装置がつぎのように設けられている。図８、図９のように、横移動棒５２が歯車箱２０に横向に取付けられ、周知のように、エンジン９の動力でリードカムなどによって左右に往復駆動されるように出来ている。回転軸５３がこれと平行に設けられ、外側でそれぞれ１対のローラ５４，５４……と内側でそれぞれ１対のローラ５５，５５……がそれぞれのアーム５４ａ，５４ａ……および５５ａ，５５ａ……先に取付けられて回転している。苗載台２２は、横移動棒５２に固定されてこれと同時に左右に往復移動する。駆動軸５６，５６，５７，５７が苗載台２２に横並びに配置され、それぞれにラチェットホイル５８，５８，５９，５９が設けられ、苗載台２２が上記のようにして右端に到達すると、それぞれのレバー５８ａ，５８ａ，５９ａ，５９ａが右側のローラ５４，５４，５５，５５に係合して揺動し、左端に到達すると、それぞれのレバー５８ａ，５８ａ，５９ａ，５９ａが左側のローラ５４，５４，５５，５５に係合して揺動するように出来ている。それぞれの駆動軸５６，５６，５７，５７に固定されたローラと、その上の遊動軸に取付けられたローラに平ベルト６０，６０……が巻き掛けられ、苗載台２２が往復移動で右端および左端に到達すると、平ベルト６０，６０……が旋回し、その上のマット苗を苗受板２３側に送り出すようになっている。
【００１４】
従来の装置では、左右の駆動軸５６，５７の間にカップリングを設け、苗載台２２の横端を折りたたむと、駆動軸５６も折りたたまれ、元に戻すと、これらがカップリングで接続されるように出来ていた。そのため、苗載台２２を元に戻したときのカップリングの咬み合せが不安定で、かつまた、その間のバックラッシュや軸のたわみで外端部のマット苗の送りに遅れを生じるおそれがあったが、上記の構成によると、上記の課題が解消される。
【００１５】
サイドマーカがつぎのように構成されている。図１〜図３のように、先端に標識６１，６１を有する杆６２，６２が座席１０の前で主歯車箱５の左右にそれぞれの縦軸６３，６３の回りに揺動するように取付けられている。そして、標識６１，６１が苗植機を折り返し運転をする際の既植苗の上、移動走行を行う際の苗植装置２の外側端の前又は苗載台２２の端を折りたたんだときの苗植装置２の外側端の前および補助ステップ１３，１３の内側の３個所で止まるようになっている。そのため、苗植え運転の際には、標識６１（又は６１）が既植苗の上を通過するように苗植機を前進させて移植苗の条間を均一に保つことができ、移動走行の際は、これから１段内側に寄せた左右の標識６１，６１で苗植機の車体巾を知り、これを通過させることで安全運行を図ることができ、更に、標識６１，６１を補助ステップ１３，１３内に収納することにより、苗植機を倉庫に保管する際に広い場所をとらないようにすることができる。
【００１６】
外側の植付フレーム２５とフロート２８を折りたたむ構成につき、図１０〜図１２のものを用いることができる。すなわち、歯車箱２０の両横に支持筒６４，６４が固定され、前記と同様に、それぞれから植付フレーム２５，２５，２５が後方に突出させて設けられている。以下、片側のみについて説明する。補助筒６５の内端が支持筒６４の前に前後方向の伝動軸６６の回りに回動自在に取付けられ、外側の植付フレーム６７が補助筒６５の外端の後に伝動軸６８の回りに回動自在に取付けられている。横軸６９が補助筒６５内に設けられている。エンジン９の動力で回転する主軸７０が歯車箱２０から支持筒６４内に突出し、これに固定された傘歯車７１が伝動軸６６に固定された傘歯車７２に咬んでいる。伝動軸６６と一体の傘歯車７３が横軸６９の内端の傘歯車７４に咬み、その外端の傘歯車７５が伝動軸６８の傘歯車７６に咬み、伝動軸６６の後端の傘歯車７７が駆動軸７８の傘歯車７９に咬んでいる。歯輪８０が駆動軸７８に設けられ、両端に旋回ケース２６，２６が取付けられた従動軸８１が植付フレーム６７の後端に横向に設けられ、これと一体の歯輪８２と前記の歯輪８０とにチエン８３が巻き掛けられている。従って、主軸７０の回転が上記の伝動機構群を経由して旋回ケース２６，２６に伝わり、植付具２７，２７を上記と同様に駆動して苗を移植する。
【００１７】
連杆８４の両端が外側の植付フレーム２５と植付フレーム６７の後端に前後方向の軸の回りに回動するように取付けられ、植付フレーム６７の下部に外側のフロート２８が取付けられている。ボルト８５で支持筒６４に固定した支持板８６が補助筒６５の前に配置され、その円弧状の長孔８６ａに通したボルト８７が補助筒６５にねじ込まれている。
【００１８】
すなわち、ボルト８７を緩めて補助筒６５の先を下に回すと、植付フレーム６７とフロート２８が同じ姿勢を保って回動し、外側の植付フレーム２５の下に達する。苗植装置２における移植部の横巾が上記のようにして縮少される。
【図面の簡単な説明】
【図１】この発明を施した苗植機の側面図
【図２】その平面図
【図３】その苗植装置の横巾を縮少した平面図
【図４】その施肥装置の背面図
【図５】その切断側面図
【図６】その１部の切断背面図
【図７】その１部の切断背面図
【図８】その苗植装置の１部の平面図
【図９】その展開した平面図
【図１０】他の苗植装置の１部の背面図
【図１１】その１部の斜面図
【図１２】その伝動機構図
【符号の説明】
３    散布装置（施肥装置）
３１    タンク
３１ａ  谷部
３３    駆動軸
４１    ロータ
４１ａ  繰出溝
４２    移動子
４２ａ  突子
４３    中央仕切板
４４    筒
４５    案内具
４６、４７  ナット
【図１】
0003598616.tif 000002
【図２】
0003598616.tif 000003
【図３】
0003598616.tif 000004
【図４】
0003598616.tif 000005
【図５】
0003598616.tif 000006
【図６】
0003598616.tif 000007
【図７】
0003598616.tif 000008
【図８】
0003598616.tif 000009
【図９】
0003598616.tif 000010
【図１０】
0003598616.tif 000011
【図１１】
0003598616.tif 000012
【図１２】
0003598616.tif 000013